(57)【要約】【課題】複数の表示器の何れかで、伝送誤りが発生したことを容易に検知できるようにすること。【解決手段】複数の表示器１４０を備えるマルチ画面表示装置であって、複数の表示器１４０の各々は、複数の表示器１４０の各々用に分割された分割映像ストリームを受信する受信部１４１と、分割映像ストリームをデコードして、分割映像データを再生するデコード部１４２と、分割映像データに基づいて表示を行う画像表示部１４７と、複数の表示器の何れかのデコード部でデコードエラーが発生した場合に、画像表示部１４７の表示をデコードエラー時の表示に切り替える表示切替部１４６とを備える。【選択図】図５
2017151336.tif 000002
【特許請求の範囲】
【請求項１】
複数の表示器を備えるマルチ画面表示装置であって、
前記複数の表示器の各々は、
前記複数の表示器の各々用に分割された分割映像ストリームを受信する受信部と、
前記分割映像ストリームをデコードして、分割映像データを再生するデコード部と、
前記分割映像データに基づいて表示を行う表示部と、
前記複数の表示器の何れかのデコード部でデコードエラーが発生した場合に、前記表示部の表示をデコードエラー時の表示に切り替える表示切替部と、を備えること
を特徴とするマルチ画面表示装置。
【請求項２】
前記複数の表示器の各々は、
前記複数の表示器の何れかのデコード部でデコードエラーが発生したか否かを判定する判定部と、
前記デコード部でデコードエラーが発生しているか否かを示すデコードエラー信号を、前記複数の表示器の全ての判定部に送るデコードエラー通知部と、をさらに備え、
前記判定部は、前記複数の表示器の全てのデコードエラー通知部から送られてくるデコードエラー信号の少なくとも１つがデコードエラーの発生を示す場合に、前記複数の表示器の何れかのデコード部でデコードエラーが発生したと判定し、
前記表示切替部は、前記判定部が前記複数の表示器の何れかのデコード部でデコードエラーが発生したと判定した場合に、前記表示部の表示をデコードエラー時の表示に切り替えること
を特徴とする請求項１に記載のマルチ画面表示装置。
【請求項３】
前記複数の表示器には、先頭の表示器から、末尾の表示器まで、前記デコード部でデコードエラーが発生しているか否かを示すデコードエラー信号を順番に送る送信経路が予め定められており、
前記先頭の表示器は、前記デコード部でデコードエラーが発生しているか否かを示すデコードエラー信号を、前記送信経路の次の表示器に送る第１の判定部をさらに備え、
前記複数の表示器の内、前記先頭の表示器及び前記末尾の表示器以外の表示器は、前記送信経路の前の表示器から送られてきたデコードエラー信号がデコードエラーの発生を示す場合、又は、前記デコード部でデコードエラーが発生している場合に、デコードエラーの発生を示すデコードエラー信号を、前記送信経路の次の表示器に送る一方で、前記送信経路の前の表示器から送られてきたデコードエラー信号がデコードエラーの不発生を示し、かつ、前記デコード部でデコードエラーが発生していない場合に、デコードエラーの不発生を示すデコードエラー信号を、前記送信経路の次の表示器に送る第２の判定部をさらに備え、
前記末尾の表示器は、前記送信経路の前の表示器から送られてきたデコードエラー信号がデコードエラーの発生を示す場合に、デコードエラー発生時の表示に切り替える表示指示を、前記複数の表示器の全ての表示切替部に送る第３の判定部をさらに備え、
前記複数の表示器の全ての表示切替部は、前記第３の判定部から送られてきた表示指示に応じて、前記表示部の表示をデコードエラー時の表示に切り替えること
を特徴とする請求項１に記載のマルチ画面表示装置。
【請求項４】
前記複数の表示器は、１つのメイン表示器と、少なくとも１つのサブ表示器とに分かれており、
前記メイン表示器は、前記デコード部で前記分割映像ストリームをデコードするタイミングを示す同期信号を、前記サブ表示器に送る第１の同期部をさらに備え、
前記メイン表示器の前記デコード部は、前記同期信号に従って、前記分割映像ストリームをデコードし、
前記サブ表示器は、前記メイン表示器から前記同期信号を受け、前記同期信号を前記サブ表示器の前記デコード部に与える第２の同期部をさらに備え、
前記サブ表示器の前記デコード部は、前記第２の同期部から与えられた同期信号に従って、前記分割映像ストリームをデコードすること
を特徴とする請求項１から３の何れか一項に記載のマルチ画面表示装置。
【請求項５】
前記同期信号は、垂直同期信号であること
を特徴とする請求項４に記載のマルチ画面表示装置。
【請求項６】
デコードエラー時に表示するエラー時用画像データを記憶する記憶部をさらに備え、
前記表示切替部は、前記複数の表示器の何れかのデコード部でデコードエラーが発生した場合に、前記表示部の表示を、前記デコード部で再生された分割映像データから、前記記憶部に記憶されているエラー時用画像データに切り替えること
を特徴とする請求項１から５の何れか一項に記載のマルチ画面表示装置。
【請求項７】
前記エラー時用画像データは、前記複数の表示器の何れかのデコード部でデコードエラーが発生する前に前記記憶部に記憶された、前記デコード部で再生された分割映像データに含まれる１フレーム分の画像データであること
を特徴とする請求項６に記載のマルチ画面表示装置。
【請求項８】
前記記憶部は、前記デコード部で再生された分割映像データに含まれる１フレーム分の画像データを、前記エラー時用画像データとして順次書き換えて記憶しており、
前記記憶部は、前記複数の表示器の何れかのデコード部でデコードエラーが発生した場合に、前記エラー時用画像データの書き換えを停止すること
を特徴とする請求項７に記載のマルチ画面表示装置。
【発明の詳細な説明】
【技術分野】
【０００１】
本発明は、マルチ画面表示装置に関し、特に、複数の表示器を備えるマルチ画面表示装置に関する。
【背景技術】
【０００２】
列車及びバス等の公共交通機関内に設置される情報表示システム、駅、店舗等に設置されるデジタルサイネージシステム、又は、公共施設、競技場、及び建物の壁面等に設置され、案内、競技の実況、及び広告等を表示する大画面表示システムにおいては、表示する映像コンテンツを格納し送信する映像サーバと、映像サーバが送信した映像データを受信して表示する表示装置とを備えた構成が広く採用されている。また、表示装置は、大きな画面で表示したり、設置場所に応じた形及び配置の画面で表示したりするために、複数の表示器を組み合せて映像を表示する構成がよく採られる。
【０００３】
映像サーバから表示装置へ映像データを伝送する際に、伝送ケーブルの設置状況又は伝送ケーブルの特性により、伝送誤りが発生する可能性がある。伝送誤りが発生すると、表示装置に表示する映像が乱れたり、黒画面になったり、静止したりすることが起こり得る。
特に、表示装置が複数の表示器を組み合せた構成の場合に、ある表示器に伝送誤りが発生すると、その表示器に表示される映像は、一時的に、乱れたり、黒画面になったり、静止したりといった状態になる。一方、伝送誤りが発生していない表示器で表示される映像は、正常に表示され続ける。このように、複数の表示器で、正常に映像が表示されるものと、正常に映像が表示されないものが混在した状態となるため、表示装置の視聴者に不自然な印象又は違和感を与え、表示装置による宣伝効果及び案内情報伝達効果が低下するといった問題がある。
【０００４】
このような問題に対して、例えば、特許文献１では、映像サーバは、複数の表示器のそれぞれに向けて送信する映像データのそれぞれに、画像の伝送誤りを検出するための画像パターンを挿入する。そして、各表示器は、映像データに挿入されているエラー検出画像パターンにより伝送誤りを検出し、何れかの表示器で伝送誤りを検出したとき、伝送誤りが検出された映像の代わりに、伝送誤りが検出されていない他の表示器向けの映像を表示することで、複数画面の表示効果を維持する技術が示されている。
【先行技術文献】
【特許文献】
【０００５】
【特許文献１】特開２００１−１９５０４８号公報（第３−５頁、図２）
【発明の概要】
【発明が解決しようとする課題】
【０００６】
しかしながら、特許文献１に記載された技術では、映像データの伝送誤りを検出するために、エラー検出パターン挿入処理及びエラー検出パターンによるエラー検出処理が必要となる。
【０００７】
そこで、本発明は、複数の表示器の何れかで、伝送誤りが発生したことを容易に検知できるようにすることを目的とする。
【課題を解決するための手段】
【０００８】
本発明の一態様に係るマルチ画面表示装置は、複数の表示器を備えるマルチ画面表示装置であって、前記複数の表示器の各々は、前記複数の表示器の各々用に分割された分割映像ストリームを受信する受信部と、前記分割映像ストリームをデコードして、分割映像データを再生するデコード部と、前記分割映像データに基づいて表示を行う表示部と、前記複数の表示器の何れかのデコード部でデコードエラーが発生した場合に、前記表示部の表示をデコードエラー時の表示に切り替える表示切替部と、を備えることを特徴とする。
【発明の効果】
【０００９】
本発明の一態様によれば、複数の表示器の各々のデコード部でのデコードエラーにより、伝送誤りを検知するため、複数の表示器の何れかで、伝送誤りが発生したことを容易に検知することができる。
【図面の簡単な説明】
【００１０】
【図１】実施の形態１〜３に係るマルチ画面表示システムの構成を概略的に示すブロック構成図である。
【図２】実施の形態１における映像データを分割した分割映像データの１例を示す概略図である。
【図３】実施の形態１において、４つの表示器の配置例を示す概略図である。
【図４】実施の形態１において、複数の送信実行部により、並列処理で複数のストリームを送信する場合の構成例を示すブロック図である。
【図５】実施の形態１における表示器の構成例を示すブロック図である。
【図６】実施の形態１において、送信部から時分割で複数の分割映像ストリームが送信する場合に、各表示器に割り振られるＩＰアドレスの１例を示す概略図である。
【図７】実施の形態１におけるデコード部の動作タイミングを示す概略図である。
【図８】実施の形態１における複数の表示器の接続例を示す概略図である。
【図９】実施の形態１における前フレーム記憶部の動作タイミングの１例を示す概略図である。
【図１０】実施の形態１における表示切替判定部をハードウェアにより実現する場合の構成例を示す概略図である。
【図１１】実施の形態１において、デコードエラーが発生した場合に、デコードエラー時用表示を示す表示指示を出力する回路の１例を示す概略図である。
【図１２】実施の形態１において、デコード部及び表示切替部の動作例を示す概略図である。
【図１３】（Ａ）及び（Ｂ）は、実施の形態１のハードウェア構成を示す概略図である。
【図１４】実施の形態２における表示器の構成例を示すブロック図である。
【図１５】実施の形態２におけるデコード部及び表示切替部の動作例を示す概略図である。
【図１６】実施の形態２における表示器の第３の端子の接続例を示す概略図である。
【図１７】実施の形態３におけるマスタ装置である表示器の構成例を示すブロック図である。
【図１８】実施の形態３におけるスレーブ装置である表示器の構成例を示すブロック図である。
【図１９】実施の形態３における表示器の接続例を示す概略図である。
【発明を実施するための形態】
【００１１】
実施の形態１．
図１は、実施の形態１に係るマルチ画面表示システム１００の構成を概略的に示すブロック構成図である。
マルチ画面表示システム１００は、映像サーバ１１０と、マルチ画面表示装置１３０とを備える。
【００１２】
まず、映像サーバ１１０について説明する。
図１に示されているように、映像サーバ１１０は、映像ストリームをマルチ画面表示装置１３０に表示するために、映像ストリームを複数のストリームに分割した分割映像ストリームを生成する。映像サーバ１１０は、図１に示されているように、例えば、映像データベース１１１と、デコード部１１２と、画像分割部１１３と、エンコード部１１４と、送信部１１５とを備える。
【００１３】
映像データベース１１１は、マルチ画面表示装置１３０に表示する映像ストリームを格納しておく記憶部である。映像ストリームは、元の映像データを、例えば、ＭＰＥＧ（Ｍｏｖｉｎｇ  Ｐｉｃｔｕｒｅ  Ｅｘｐｅｒｔｓ  Ｇｒｏｕｐ）２、ＭＰＥＧ４、Ｈ．２６４、Ｈ．２６５、ＶＣ−１、ＶＰ８又はＶＰ９等の形式でエンコードして生成される。
【００１４】
図１には記載していない入力部を介して映像サーバ１１０に映像ストリームが入力され、入力された映像ストリームが映像データベース１１１に格納される。映像ストリームの入力方法としては、例えば、ＤＶＤ（Ｄｉｇｉｔａｌ  Ｖｅｒｓａｔｉｌｅ  Ｄｉｓｃ）又はＢＤ（Ｂｌｕ−ｒａｙ  Ｄｉｓｃ）のようなメディア経由での入力、又は、ネットワーク経由での入力がある。
【００１５】
デコード部１１２は、映像データベース１１１に格納した映像ストリームを読み出し、デコードして映像データを再生する。例えば、デコード部１１２は、読み出された映像ストリームのエンコード形式に応じて、デコードする。エンコード形式がＨ．２６４の場合、デコード部１１２は、Ｈ．２６４のデコードを行う。
【００１６】
画像分割部１１３は、デコード部１１２から与えられた映像データを分割して、分割映像データを生成する。このとき、画像分割部１１３は、マルチ画面表示装置１３０を構成する複数の表示器１４０のそれぞれの表示サイズに合うように映像データを分割する。映像データが、３８４０画素×２１６０画素の解像度であり、１９２０画素×１０８０画素の解像度で表示する表示器１４０を４つ使用して表示する場合の例を図２に示す。図２に示されているように、分割された後の映像データは、それぞれ、分割映像データＡ、分割映像データＢ、分割映像データＣ及び分割映像データＤとなっている。
【００１７】
図３は、４つの表示器１４０Ａ、１４０Ｂ、１４０Ｃ、１４０Ｄの配置の例を示す概略図である。以下、４つの表示器１４０Ａ、１４０Ｂ、１４０Ｃ、１４０Ｄを特に区別する必要がない場合には、表示器１４０という。
図３に示されているように、表示器１４０Ａ、表示器１４０Ｂ、表示器１４０Ｃ、表示器１４０Ｄを配置し、表示器１４０Ａにて分割映像データＡ、表示器１４０Ｂにて分割映像データＢ、表示器１４０Ｃにて分割映像データＣ及び表示器１４０Ｄにて分割映像データＤを表示することで、元の３８４０画素×２１６０画素の映像データを表示することができる。なお、ここでは、１９２０画素×１０８０画素の解像度で表示する表示器１４０を４つ使用する例を示したが、他の解像度の表示器１４０を使用してもよいし、表示器１４０の個数を２以上の他の数としてもよい。
【００１８】
エンコード部１１４は、画像分割部１１３から与えられた分割映像データのそれぞれをエンコードして、分割映像ストリームを生成する。例えば、図２に示されているように分割されて生成された分割映像データの場合、エンコード部１１４は、分割映像データＡ、分割映像データＢ、分割映像データＣ及び分割映像データＤのそれぞれをエンコードして、分割映像ストリームＡ、分割映像ストリームＢ、分割映像ストリームＣ及び分割映像ストリームＤを生成する。
【００１９】
エンコード部１１４で使用するエンコード形式は、例えば、ＭＰＥＧ２、ＭＰＥＧ４、Ｈ．２６４、Ｈ．２６５、ＶＣ−１、ＶＰ８又はＶＰ９等である。エンコードすることにより、分割映像データのデータサイズを大幅に小さくし、データレートを大幅に小さくすることが可能である。例えば、１９２０画素×１０８０画素で６０フレーム／秒の分割映像データは、３Ｇｂｐｓ程度のレートであるが、Ｈ．２６４形式で圧縮することで１０Ｍｂｐｓ程度のレートに小さくすることが可能である。
【００２０】
エンコード部１１４でのエンコード処理は、１つのエンコード実行部により、時分割で複数の分割映像データをエンコードしてもよいし、複数のエンコード実行部により、並列処理で複数の分割映像データをエンコードしてもよい。
【００２１】
送信部１１５は、エンコード部１１４から与えられた複数の分割映像ストリームをマルチ画面表示装置１３０へ送信する。映像サーバ１１０とマルチ画面表示装置１３０とが、例えば、有線ＬＡＮで接続されている場合には、送信部１１５は、複数の分割映像ストリームをＬＡＮのパケットに乗せて送信する。なお、映像サーバ１１０とマルチ画面表示装置１３０との接続手段は、有線ＬＡＮに限られるものではなく、無線ＬＡＮであってもよい。また、映像サーバ１１０とマルチ画面表示装置１３０との間は、同軸ケーブルによる伝送、又は、光ケーブルによる伝送が使用されてもよい。
【００２２】
送信部１１５での送信処理は、１つの送信実行部（通信インタフェース）により、時分割で複数の分割映像ストリームを送信してもよいし、複数の送信実行部により、並列処理で複数のストリームを送信してもよい。後者の場合の構成例を図４に示す。
図４では、送信部１１５＃に、４つの送信実行部１１５＃Ａ、１１５＃Ｂ、１１５＃Ｃ、１１５＃Ｄが備えられている。このとき、送信部１１５＃と表示器１４０との間に、分割映像ストリーム毎の複数の通信線を設けることで、分割映像ストリームの伝送を高速化することができる。
【００２３】
次に、実施の形態１に係るマルチ画面表示装置１３０について説明する。
図１に示されているように、実施の形態１に係るマルチ画面表示装置１３０は、複数の表示器１４０を備え、複数の表示器１４０のそれぞれが、映像サーバ１１０から送信された分割映像ストリームを受信し、デコードして分割映像データを再生して表示する。
図１では表示器１４０を４つ備える場合の例を示しており、それぞれを表示器１４０Ａ、表示器１４０Ｂ、表示器１４０Ｃ、表示器１４０Ｄと記載している。なお図１では、説明のため、表示器１４０の個数を４としているが、表示器１４０の個数は２以上の任意の数とすることが可能である。
【００２４】
図５は、実施の形態１における表示器１４０の構成例を示すブロック図である。
表示器１４０は、受信部１４１と、デコード部１４２と、デコードエラー通知部１４３と、前フレーム記憶部１４４と、表示切替判定部１４５と、表示切替部１４６と、画像表示部１４７と、第１の端子１４８と、第２の端子１４９Ａ〜１４９Ｃ（特に各々を区別する必要がない場合には、第２の端子１４９という）とを備える。
【００２５】
受信部１４１は、映像サーバ１１０から送信された分割映像ストリームを受信する。受信部１４１は、送信部１１５が送信する複数の分割映像ストリームのうち、自装置で表示する分割映像ストリームのみを受信する。例えば、送信部１１５が分割映像ストリームＡ、分割映像ストリームＢ、分割映像ストリームＣ、分割映像ストリームＤを送信する場合、分割映像ストリームＡを表示する表示器１４０Ａの受信部１４１は、分割映像ストリームＡのみを受信する。表示器１４０Ｂ、表示器１４０Ｃ又は表示器１４０Ｄの受信部１４１も同様に、それぞれ分割ストリームＢ、分割ストリームＣ、分割ストリームＤを受信する。
【００２６】
送信部１１５から時分割でＬＡＮ接続により複数の分割映像ストリームが送信される場合、受信部１４１は、例えば、分割映像ストリームを運ぶＬＡＮパケットの宛先ＩＰアドレスにより、各表示器１４０で表示する分割映像ストリームを選択して受信することが可能である。この場合、各表示器１４０には異なるＩＰアドレスが割り振られる。例えば、図６に示されているように、表示器１４０Ａには、ＩＰアドレス「１９２．１６８．１．５」、表示器１４０Ｂには、ＩＰアドレス「１９２．１６８．１．６」、表示器１４０Ｃには、ＩＰアドレス「１９２．１６８．１．７」、表示器１４０Ｄには、ＩＰアドレス「１９２．１６８．１．８」が、それぞれ割り振られる。
【００２７】
ここでは、ＩＰアドレスにより、表示する分割映像ストリームを選択して受信する例を示したが、送信部１１５にて、４つの分割映像ストリームを、例えば、ＭＰＥＧ２のトランスポートストリーム又はＭＭＴ（ＭＰＥＧ  Ｍｅｄｉａ  Ｔｒａｎｓｐｏｒｔ）のＭＭＴＰ（ＭＰＥＧ  Ｍｅｄｉａ  Ｔｒａｎｓｐｏｒｔ  Ｐｒｏｔｃｏｌ）パケットに多重化して送信し、受信部１４１にて、受信したＭＰＥＧ２トランスポートストリーム又はＭＭＴＰパケットを分離して、各表示器１４０で表示する分割映像ストリームを取り出す構成としてもよい。この場合、送信部１１５にて、４つの分割映像ストリームのそれぞれに異なるパケット識別子を割り当てて多重化し、各表示器１４０にて、パケット識別子により分割映像ストリームを選択して取り出すことにより、各表示器１４０で表示する分割映像ストリームを得ることが可能となる。
【００２８】
また、図４に示されているように、映像サーバ１１０において送信部１１５＃に複数の送信実行部１１５＃Ａ〜１１５＃Ｄが設けられ、複数の通信線により送信部１１５と表示器１４０とが１対１で接続されている場合には、各通信線により各分割映像ストリームが送信される。このため、各通信線では、各表示器１４０に対応する分割映像ストリームのみが送信され、受信部１４１は、分割映像ストリームを選択する必要がない。
【００２９】
受信部１４１は、受信した分割映像ストリームをバッファメモリ等の格納領域に格納することにより、一次的に保持しておき、デコード部１４２が必要とするタイミングで、一時的に保持した分割映像ストリームをデコード部１４２に与える。受信部１４１は、分割映像ストリームを出力した後は、出力した分の分割映像ストリームを、バッファメモリ等の格納領域から削除する。
【００３０】
デコード部１４２は、受信部１４１から与えられた分割映像ストリームをデコードして、分割映像データを再生する。そして、デコード部１４２は、再生された分割映像データを前フレーム記憶部１４４及び表示切替部１４６に与える。
【００３１】
例えば、デコード部１４２は、分割映像ストリームのエンコード形式に応じてデコードを行う。例えば、エンコード形式がＨ．２６４の場合、デコード部１４２は、Ｈ．２６４のデコードを行う。デコード部１４２は、例えば、デコードにより再生した１フレーム分の分割映像データを、一次的に、デコード処理用のバッファメモリに格納しておき、図７に示されているように、次のフレームのタイミングにて出力する。
【００３２】
ここで、送信部１１５が映像ストリームを送信し、受信部１４１が映像ストリームを受信するまでの間で、伝送誤りが発生した場合、デコード部１４２にて、デコードエラーが発生する場合がある。この場合、分割映像ストリームから正常な分割映像データを得ることができないため、デコード部１４２でデコードされた分割映像データは、映像が乱れた状態、何も表示されない黒画面状態、又は、デコードエラー発生前の画像が出力され続ける状態等、異常な状態となる。例えば、デコード部１４２は、分割映像ストリームが、映像サーバ１１０のエンコード部１１４で使用されたエンコード形式の規格にあったデータ形式になっているかどうかを確認する。そして、分割映像ストリームがこのようなデータ形式になっていない場合には、デコード部１４２は、デコードエラーの発生を示すデコード状態信号をデコードエラー通知部１４３に送る。なお、分割映像ストリームが、映像サーバ１１０のエンコード部１１４で使用されたエンコード形式の規格にあったデータ形式になっている場合には、デコード部１４２は、デコード中を示すデコード状態信号をデコードエラー通知部１４３に送る。ここで、デコード状態信号は、「０」及び「１」の何れか一方により、デコードエラーの発生を示し、その他方で、デコード中であることを示す信号である。
【００３３】
デコードエラー通知部１４３は、デコード部１４２でのデコードエラーを検知して、デコード部１４２でデコードエラーが発生しているか否かを示すデコードエラー信号を、マルチ画面表示装置１３０に含まれている全ての表示器１４０の表示切替判定部１４５に送る。そして、デコードエラー通知部１４３は、デコード部１４２でのデコードエラーを検知した場合に、デコードエラーの発生を示すデコードエラー信号を表示切替判定部１４５に送るとともに、デコードエラーの発生を示すデコードエラー信号を第１の端子１４８から、自装置を除く他の全ての表示器１４０に送る。ここで、デコードエラー信号は、「０」及び「１」の何れか一方でデコードエラーの発生を示し、その他方で、デコードありを示す信号である。
【００３４】
具体的には、デコードエラー通知部１４３は、デコード部１４２から与えられるデコード状態信号を参照して、デコード状態信号がデコードエラーの発生を示す場合に、デコード部１４２でのデコードエラーを検知したと判断する。この場合、デコードエラー通知部１４３は、デコードエラー信号としてデコードエラーの発生を示す信号を、表示切替判定部１４５に与えるとともに、自表示器を除く他の全ての表示器１４０にその信号を送る。なお、デコード部１４２から与えられるデコード状態信号がデコード中を示す場合には、デコードエラー通知部１４３は、デコードエラー信号としてデコードありを示す信号を、表示切替判定部１４５に与えるとともに、自表示器を除く他の全ての表示器１４０にその信号を送る。デコードエラー信号がデコードありを示している場合には、デコードエラーは発生しておらず、デコードエラー不発生を示しているものとする。
【００３５】
例えば、図８に示されているように、表示器１４０Ａの第１の端子１４８は、信号線Ｌ１０で、表示器１４０Ｂ、１４０Ｃ、１４０Ｄの第２の端子１４９Ａに接続されている。表示器１４０Ｂの第１の端子１４８は、信号線Ｌ１１で、表示器１４０Ａの第２の端子１４９Ａ及び表示器１４０Ｃ、１４０Ｄの第２の端子１４９Ｂに接続されている。表示器１４０Ｃの第１の端子１４８は、信号線Ｌ１２で、表示器１４０Ａ、１４０Ｂの第２の端子１４９Ｂ及び表示器１４０Ｄの第２の端子１４９Ｃに接続されている。表示器１４０Ｄの第１の端子１４８は、信号線Ｌ１３で、表示器１４０Ａ、１４０Ｂ、１４０Ｃの第２の端子１４９Ｃに接続されている。なお、表示器１４０の第１の端子１４８は、他の全ての表示器１４０の第２の端子１４９の何れかに接続されていればよく、実施の形態１は、図８の接続例に限定されない。また、信号線Ｌ１０〜Ｌ１３は、エラー通知用信号線ともいう。これにより、マルチ画面表示装置１３０を構成する全ての表示器１４０が、全ての表示器１４０のデコードエラー信号を共有することが可能となる。
【００３６】
前フレーム記憶部１４４は、デコードエラー時に表示するエラー時用画像データを記憶する記憶部である。
例えば、前フレーム記憶部１４４は、デコード部１４２から与えられた１フレーム分の画像データをエラー時用画像データとして記憶する。前フレーム記憶部１４４は、表示切替判定部１４５が表示切替部１４６に与える表示指示が正常時表示のとき、デコード部１４２から与えられる１フレーム分の画像データを記憶する。このとき、前フレーム記憶部１４４に既に記憶されていた以前の画像データは、上書きされる。デコード部１４２にてデコードエラーが発生しているとき、言い換えると、表示切替判定部１４５が表示切替部１４６に与える表示指示がデコードエラー時表示であるとき、前フレーム記憶部１４４は、デコード部１４２から与えられる１フレーム分の画像データを記憶せず、以前に記憶した画像データを保持する。
【００３７】
即ち、前フレーム記憶部１４４は、デコード部１４２で再生された映像データに含まれる１フレーム分の画像データを順次書き換えて記憶している。そして、前フレーム記憶部１４４は、マルチ画面表示装置１３０に含まれている複数の表示器１４０の何れかのデコード部１４２でデコードエラーが発生した場合には、画像データの書き換えを停止する。これにより、画像表示部１４７は、デコードエラーが発生する前の画像データに基づいて、表示を行うことができる。
【００３８】
図９は、前フレーム記憶部１４４の動作タイミングの１例を示す概略図である。
図９は、フレーム３及びフレーム４でデコードエラーが発生した例で、このとき、前フレーム記憶部１４４は、以前に記憶したフレーム２に対応する画像データを保持している。これにより、複数の表示器１４０の少なくとも１つでデコードエラーが発生した際に、それ以前に、正常にデコードできたときの画像データを保持することが可能となる。
【００３９】
表示切替判定部１４５は、デコードエラー通知部１４３及び他の表示器１４０から送られてくるデコードエラー信号に基づいて、表示切替部１４６及び前フレーム記憶部１４４に表示指示を与える判定部である。例えば、表示切替判定部１４５は、マルチ画面表示装置１３０に含まれている複数の表示器１４０の何れかのデコード部１４２でデコードエラーが発生したか否かを判定し、デコードエラーが発生した場合には、表示切替部１４６にデコードエラー時の表示に切替えるように表示指示を与える。
【００４０】
具体的には、表示切替判定部１４５は、自表示器１４０のデコードエラー通知部１４３から送られてきたデコードエラー信号と、他の全ての表示器１４０から送られてきたデコードエラー信号とから、表示する映像を切り替えるか否かを判定する。そして、表示切替判定部１４５は、表示切替部１４６及び前フレーム記憶部１４４に表示指示を与える。例えば、自表示器１４０のデコードエラー通知部１４３及び他の全ての表示器１４０から送られてきたデコードエラー信号の全てがデコードありを示す場合、表示切替判定部１４５は、正常時表示を示す表示指示を表示切替部１４６及び前フレーム記憶部１４４に与える。一方、自表示器１４０のデコードエラー通知部１４３及び他の全ての表示器１４０から送られてきたデコードエラー信号の内、１つでもデコードエラーの発生を示す場合、表示切替判定部１４５は、デコードエラー時表示を示す表示指示を表示切替部１４６及び前フレーム記憶部１４４に与える。
ここで、表示切替判定部１４５は、第２の端子１４９に接続されているエラー通知用信号線により、他の全ての表示器１４０から送られてくるデコードエラー信号を取得する。
【００４１】
なお、表示切替判定部１４５は、「０」及び「１」の何れか一方で、デコード部１４２から与えられる分割映像データに基づいて表示を行う正常時表示指示を示し、その他方で前フレーム記憶部１４４からのエラー時画像データに基づいて表示を行うデコードエラー時表示指示を示す表示指示信号を、表示切替部１４６及び前フレーム記憶部１４４に送ることで、表示指示を行う。
【００４２】
図１０は、表示切替判定部１４５をハードウェアにより実現する場合の構成例を示す概略図である。
図１０に示されているように、表示切替判定部１４５をＯＲ回路１２０で構成することにより、自表示器１４０を含めた何れかの表示器１４０から、デコードエラーの発生を示すデコードエラー信号が入力された場合に、デコードエラー時表示を示す表示指示を表示切替部１４６に出力することができる。なお、同様の処理が、ソフトウェアにより実現されてもよい。これにより、デコードエラーが発生した時に、デコードエラーが発生する前の画像を表示するように切り替えることができる。
【００４３】
なお、マルチ画面表示装置１３０の複数の表示器１４０のうち１つでもデコードエラーが発生した場合に、デコードエラー時用表示を示す表示指示を出力する代わりに、閾値数Ｎ（Ｎは、２以上の整数）以上の表示器１４０でデコードエラーが発生した場合に、表示切替部１４６がデコードエラー時表示を示す表示指示を出力するようにしてもよい。この場合、伝送誤りにより正常に表示できない表示器１４０が多くなったときに、表示を切り替える制御が可能になる。また、表示切り替えをすべきではない映像コンテンツを表示する場合には、閾値数Ｎを表示器１４０の数よりも大きくすることで、表示の切り替えを行わないようにすることが可能となる。
【００４４】
図１１は、Ｎ個以上の表示器１４０でデコードエラーが発生した場合に、デコードエラー時用表示を示す表示指示を出力する回路の１例を示す概略図である。
例えば、デコードエラー信号で示される値を加算する加算器１２１と、加算器１２１での演算結果である加算値Ｓを、閾値数Ｎと比較する比較回路１２２とを備えることで、上記のような制御を行うことができる。この場合、デコードエラー信号は、「１」である場合に、デコードエラーの発生を示すものとする。
なお、同様の処理が、ソフトウェアにより実現されてもよい。
【００４５】
表示切替部１４６は、表示切替判定部１４５から与えられる表示指示に応じて、通常時の表示映像と、デコードエラー発生時の表示映像とを切り替えて、それぞれに対応する分割映像データを画像表示部１４７に与える。例えば、表示切替部１４６は、マルチ画面表示装置１３０に含まれている複数の表示器１４０の何れかのデコード部１４２でデコードエラーが発生した場合に、画像表示部１４７の表示をデコードエラー時の表示に切り替える。
【００４６】
具体的には、表示切替判定部１４５から与えられる表示指示がデコードエラー時表示を示すとき、表示切替部１４６は、前フレーム記憶部１４４に記憶した分割映像データを選択して、その分割映像データを画像表示部１４７に与える。一方、表示指示が正常時表示を示すとき、表示切替部１４６は、デコード部１４２から与えられる分割映像データを選択して、その分割映像データを画像表示部１４７に与える。これにより、何れかの表示器１４０にてデコードエラーが発生した場合に、デコードエラーが発生する前の正常なデコード結果である画像データを与えることができる。
【００４７】
図１２は、デコード部１４２及び表示切替部１４６の動作例を示す概略図である。
図１２は、表示器１４０Ｃのフレーム４及びフレーム５でデコードエラーが発生した場合の例を示している。
図１２に示されているように、デコードエラーが発生した場合でも、表示器１４０の表示切替部１４６は、デコードエラーが発生する前のフレーム３を画像表示部１４７に与えることができる。このため、表示器１４０は、デコードエラーが発生する前の正常なデコード結果に基づいて、表示を行うことができる。
【００４８】
また、表示切替部１４６は、表示指示がデコードエラー時表示を示すとき、予め定められた静止画をエラー時用画像データとして画像表示部１４７に与え、表示指示が正常時用表示を示すとき、デコード部１４２から与えられる分割映像データを画像表示部１４７に与えてもよい。このような場合には、何れかの表示器１４０でデコードエラーが発生したときに、全ての表示器１４０において、予め定められた静止画を表示することができる。なお、このような場合には、前フレーム記憶部１４４の代わりに、予め定められた静止画の画像データを記憶する記憶部が備えられていればよい。
【００４９】
画像表示部１４７は、表示切替部１４６から与えられるデータに基づいて表示を行う表示部である。例えば、画像表示部１４７は、表示切替部１４６から与えられた分割映像データに基づいて、分割映像を表示し、表示切替部１４６から与えられたエラー時用画像データに基づいて、エラー時用画像を表示する。
画像表示部１４７は、ＬＣＤ（Ｌｉｑｕｉｄ  Ｃｒｙｓｔａｌ  Ｄｉｓｐｌａｙ）又はＬＥＤ（Ｌｉｇｈｔ  Ｅｍｉｔｔｉｎｇ  Ｄｉｏｄｅ）ディスプレイ等の表示装置により実現される。
【００５０】
以上に記載された実施の形態１に係る表示器１４０のデコード部１４２、デコードエラー通知部１４３、前フレーム記憶部１４４、表示切替判定部１４５及び表示切替部１４６の一部又は全部は、例えば、図１３（Ａ）に示されているように、メモリ１２３と、メモリ１２３に格納されているプログラムを実行するＣＰＵ（Ｃｅｎｔｒａｌ  Ｐｒｏｃｅｓｓｉｎｇ  Ｕｎｉｔ）等のプロセッサ１２４とにより構成することができる。このようなプログラムは、ネットワークを通じて提供されてもよく、また、記録媒体に記録されて提供されてもよい。
【００５１】
また、表示器１４０のデコード部１４２、デコードエラー通知部１４３、前フレーム記憶部１４４、表示切替判定部１４５及び表示切替部１４６の一部又は全部は、例えば、図１３（Ｂ）に示されているように、単一回路、復号回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２５で構成することもできる。
【００５２】
なお、受信部１４１は、ＮＩＣ（Ｎｅｔｗｏｒｋ  Ｉｎｔｅｒｆａｃｅ  Ｃａｒｄ）等の通信装置により実現することができる。
【００５３】
以上に記載したように、実施の形態１に係るマルチ画面表示装置１３０は、デコード部１４２でデコードエラーを検知するため、映像サーバ１１０から送信される分割映像データにエラー検出画像パターンを挿入しておく必要がない。また、エラー検出画像パターンによるエラー検出のための回路を設ける必要がなくなる。
【００５４】
また、複数の表示器１４０のそれぞれにおいてデコードエラーを検出し、そのうちの何れか１つでもデコードエラーが発生したときには、全ての表示器１４０がデコードエラー時用の表示に切り替わるため、複数の表示器１４０の内のいくつかにおいて、デコードエラーにより映像が乱れたり、黒画面になったり、映像が静止したりという状態になってしまうことを回避することができる。このため、伝送誤りが発生した場合においても、マルチ画面表示装置１３０の視聴者に、不自然な印象又は違和感を与えることなく、マルチ画面表示装置１３０による宣伝効果及び案内情報伝達効果を維持することができる。
【００５５】
さらに、表示器１４０がデコード部１４２を備えることにより、映像サーバ１１０が表示器１４０へ送信する分割映像データのデータ量を減らすことができ、映像サーバ１１０と、表示器１４０とを結ぶ通信回線の伝送速度を小さくすることができる。
【００５６】
実施の形態２．
図１に示されているように、実施の形態２に係るマルチ画面表示システム２００は、映像サーバ１１０と、マルチ画面表示装置２３０とを備える。
実施の形態２に係るマルチ画面表示システム２００の映像サーバ１１０は、実施の形態１と同様に構成されている。
【００５７】
図１４は、実施の形態２における表示器２４０の構成例を示すブロック図である。
表示器２４０は、受信部１４１と、デコード部２４２と、デコードエラー通知部１４３と、前フレーム記憶部１４４と、表示切替判定部１４５と、表示切替部１４６と、画像表示部１４７と、第１の端子１４８と、第２の端子１４９と、同期部２５０と、第３の端子２５１とを備える。
実施の形態２における表示器２４０の、受信部１４１、デコードエラー通知部１４３、前フレーム記憶部１４４、表示切替判定部１４５、表示切替部１４６、画像表示部１４７、第１の端子１４８及び第２の端子１４９は、実施の形態１における表示器１４０と同様に構成されている。
【００５８】
同期部２５０は、第３の端子２５１を介して、他の表示器２４０と通信して、全ての表示器２４０のデコード部１４２で動作タイミングの同期をとる。例えば、自表示器２４０がメイン装置となっている同期部２５０は、映像クロック、同期信号及びフレームカウンタ値といったタイミング情報を、第３の端子２５１から、他の表示器２４０に送信する。
映像クロックは、例えば、周波数２７ＭＨｚのクロックである。同期信号は、例えば、映像の垂直同期信号である。また、フレームカウンタ値は、例えば、垂直同期信号にて示されるフレーム先頭のタイミングにて、０、１、２、の順に１ずつカウントアップし、２５５の次に０に戻るカウント値である。なお、自表示器２４０がメイン装置となっている同期部２５０は、第１の同期部として機能する。
【００５９】
また、自表示器２４０がサブ装置となっている同期部２５０は、メイン装置としての表示器２４０から送られてくるタイミング情報に基づいて、デコード部２４２に対して、映像クロックの周波数を合わせたり、同期信号のタイミングを合わせたり、フレームカウンタ値を合わせたりする。なお、自表示器２４０がサブ装置となっている同期部２５０は、第２の同期部として機能する。
これにより、全ての表示器２４０で、デコード部２４２の動作タイミングの同期が可能となり、さらに、全ての表示器２４０の表示切替部１４６の表示切り替えタイミングの同期が可能となる。
【００６０】
即ち、実施の形態２では、マルチ画面表示装置２３０に含まれている複数の表示器２４０は、１つのメイン表示器と、少なくとも１つのサブ表示器とに分かれている。そして、サブ表示器のデコード部２４２は、メイン表示器のデコード部２４２がデコードを行う同期信号に従ってデコードを行う。これにより、メイン表示器とサブ表示器とは、同期をとる。
【００６１】
デコード部２４２は、同期部２５０から与えられる映像クロックによりデコード処理を行う。また、デコード部２４２は、同期部２５０から与えられる同期信号及びフレームカウンタ値のタイミングに合わせてデコード処理を行う。これにより、全ての表示器２４０のデコード部１４２が同じタイミングでデコード処理を行うようになる。
【００６２】
なお、表示切替部１４６は、同期部２５０からデコード部２４２に与えられる同期信号のタイミングに合わせて、表示の切り替えを行う。これにより、全ての表示器２４０の表示切替部１４６が同じタイミングで表示の切り替え処理を行うことができる。
【００６３】
図１５は、実施の形態２におけるデコード部２４２及び表示切替部１４６の動作例を示す概略図である。
図１５は、図１２と同様に、表示器２４０Ｃにおいて、フレーム４及びフレーム５でデコードエラーが発生した場合の図である。
図１５に示されているように、実施の形態２では、同期部２５０により、複数の表示器２４０において、各フレームのデコード及び表示切替部１４６からの出力タイミングが一致している。このため、見た目にも、より違和感の無い、自然な印象の映像表示を得ることが可能となる。
【００６４】
図１４に示されている第３の端子２５１は、他の表示器２４０の第３の端子２５１に接続されている。
図１６は、実施の形態２における表示器２４０の第３の端子２５１の接続例を示す概略図である。
図１６に示されているように、表示器２４０Ａの第３の端子２５１は、信号線Ｌ２０により、表示器２４０Ａ〜２４０Ｄの第３の端子２５１に接続されている。なお、信号線Ｌ２０は、同期用信号線ともいう。
図１６は、表示器２４０Ａがメイン装置となり、表示器２４０Ｂ、２４０Ｃ、２４０Ｄがサブ装置となっている例である。このような場合には、表示器２４０Ａから表示器２４０Ｂ、２４０Ｃ、２４０Ｄへ、タイミング情報が送信される。
【００６５】
以上に記載したように、実施の形態２に係るマルチ画面表示装置２３０では、同期部２５０により、全ての表示器２４０のデコード動作及びデコードエラー時の映像切替動作のタイミングを同期させることができ、より違和感のない、自然な印象の映像表示を実現することができる。また、同期信号として、垂直同期信号を用いることで、フレーム単位での同期制御を実現することができる。
【００６６】
実施の形態３．
図１に示されているように、実施の形態３に係るマルチ画面表示システム３００は、映像サーバ１１０と、マルチ画面表示装置３３０とを備える。
実施の形態３に係るマルチ画面表示システム３００の映像サーバ１１０は、実施の形態１と同様に構成されている。
【００６７】
実施の形態３におけるマルチ画面表示装置３３０は、複数の表示器３４０Ａ、３４０Ｂ、３４０Ｃ、３４０Ｄを備える。実施の形態３では、複数の表示器３４０Ａ、３４０Ｂ、３４０Ｃ、３４０Ｄの中から、１つを先頭の表示器３４０とし、１つを末尾の表示器３４０として、先頭の表示器３４０から末尾の表示器３４０まで、デコードエラー信号を順番に送る送信経路が予め定められている。この送信経路を用いてデコードエラー信号を送信することで、実施の形態３は、デコードエラーを通知するための信号線として用いるケーブルの数を減らしている。以下では、表示器３４０Ａをマスタ装置として、送信経路の先頭及び末尾の表示器３４０として利用し、他の表示器３４０Ｂ、３４０Ｃ、３４０Ｄをスレーブ装置として利用する例を説明するが、実施の形態３は、このような例に限定されるものではない。
【００６８】
図１７は、実施の形態３におけるマスタ装置である表示器３４０Ａの構成例を示すブロック図である。
表示器３４０Ａは、受信部１４１と、デコード部１４２と、デコードエラー通知部３４３と、前フレーム記憶部１４４と、表示切替判定部３４５＃１と、表示切替部１４６と、画像表示部１４７と、第４の端子３５２と、第５の端子３５３と、第６の端子３５４とを備える。
実施の形態３におけるメイン装置である表示器３４０Ａにおける、受信部１４１、デコード部１４２、前フレーム記憶部１４４、表示切替部１４６及び画像表示部１４７は、実施の形態１における表示器１４０と同様に構成されている。
ここで、表示器３４０Ａの表示切替判定部３４５＃１は、第１の判定部及び第３の判定部として機能する。
【００６９】
デコードエラー通知部３４３は、デコード部１４２でのデコードエラーを検知して、デコードエラー信号を、表示切替判定部３４５＃１に送る。ここで、デコードエラー通知部３４３が、デコード部１４２でのデコードエラーを検知する方法については、実施の形態１のデコードエラー通知部１４３と同様である。
【００７０】
表示切替判定部３４５＃１は、デコードエラー通知部３４３から通知されたデコードエラー信号を、送信経路の次の表示器３４０Ｂに送る。例えば、表示切替判定部３４５＃１は、デコードエラー通知部３４３から与えられるデコードエラー信号を第４の端子３５２から出力する。
【００７１】
また、表示切替判定部３４５＃１は、送信経路の前の表示器３４０から与えられるデコードエラー信号に基づいて、マルチ画面表示装置３３０に含まれている全ての表示器３４０の表示切替部１４６に表示指示を与える。
例えば、表示切替判定部３４５＃１は、第５の端子３５３に入力されたデコードエラー信号がデコードありを示す場合、表示切替判定部１４５は、正常時表示を示す表示指示を表示切替部１４６に与えるとともに、正常時表示を示す表示指示を第６の端子３５４から出力する。一方、表示切替判定部３４５＃１は、第５の端子３５３に入力されたデコードエラー信号がデコードエラーの発生を示す場合、デコードエラー時表示を示す表示指示を表示切替部１４６に与えるとともに、デコードエラー時表示を示す表示指示を第６の端子３５４から出力する。
【００７２】
図１８は、実施の形態３におけるスレーブ装置である表示器３４０Ｂ、３４０Ｃ、３４０Ｄの構成例を示すブロック図である。
表示器３４０Ｂ、３４０Ｃ、３４０Ｄは、受信部１４１と、デコード部１４２と、デコードエラー通知部３４３と、前フレーム記憶部１４４と、表示切替判定部３４５＃２と、表示切替部１４６と、画像表示部１４７と、第４の端子３５２と、第５の端子３５３と、第６の端子３５４とを備える。
実施の形態３におけるスレーブ装置である表示器３４０Ｂ、３４０Ｃ、３４０Ｄの、受信部１４１、デコード部１４２、前フレーム記憶部１４４、表示切替部１４６及び画像表示部１４７は、実施の形態１における表示器１４０と同様に構成されている。
【００７３】
ここで、表示器３４０Ｂ、３４０Ｃ、３４０Ｄの表示切替判定部３４５＃２は、第２の判定部として機能する。
【００７４】
デコードエラー通知部３４３は、デコード部１４２でのデコードエラーを検知して、デコードエラー信号を、表示切替判定部３４５＃２に送る。ここで、デコードエラー通知部３４３が、デコード部１４２でのデコードエラーを検知する方法については、実施の形態１のデコードエラー通知部１４３と同様である。
【００７５】
表示切替判定部３４５＃２は、第５の端子３５３を介して、送信経路の前の表示器３４０から送られてきたデコードエラー信号と、デコードエラー通知部３４３から送られてきたデコードエラー信号とから、新たなデコードエラー信号を生成して、この新たなデコードエラー信号を第４の端子３５２から出力する。新たなデコードエラー信号は、例えば、第５の端子３５３から入力されたデコードエラー信号及びデコードエラー通知部３４３から送られてきたデコードエラー信号の少なくとも何れか一方がデコードエラーの発生を示すとき、デコードエラーの発生を示すものとし、それ以外の場合に、デコードありを示すものとする。
【００７６】
表示切替判定部３４５＃２は、第６の端子３５４を介して、マスタ装置である他の表示器３４０（ここでは、表示器３４０Ａ）から通知される表示指示を、表示切替部１４６に与える。
【００７７】
図１９は、実施の形態３におけるマルチ画面表示装置３３０における表示器３４０Ａ〜３４０Ｄの接続例を示す概略図である。
図１９に示されているように、表示器３４０Ａの第４の端子３５２は、信号線Ｌ３０で、表示器３４０Ｂの第５の端子３５３に接続されている。表示器３４０Ｂの第４の端子３５２は、信号線Ｌ３１で、表示器３４０Ｃの第５の端子３５３に接続されている。表示器３４０Ｃの第４の端子３５２は、信号線Ｌ３２で、表示器３４０Ｄの第５の端子３５３に接続されている。表示器３４０Ｄの第４の端子３５２は、信号線Ｌ３３で、表示器３４０Ａの第５の端子３５３に接続されている。また、表示器３４０Ａ〜３４０Ｄの第６の端子３５４は、それぞれ信号線Ｌ４０で接続されている。
ここで、信号線Ｌ３０〜信号線Ｌ３３は隣の表示器３４０Ａ〜３４０Ｄでデコードエラー信号を送るための信号線であり、エラー通知用信号線ともいう。また、信号線Ｌ４０は、全ての表示器３４０Ａ〜３４０Ｄのデコードエラー信号に基づいて生成された表示指示を、表示器３４０Ａから残りの表示器３４０Ｂ〜３４０Ｄに送るための信号線であり、表示指示用信号線ともいう。
以下、図１９を用いて、実施の形態３におけるデコードエラー信号の伝達と、表示指示の伝達とを説明する。
【００７８】
表示器３４０Ａの表示切替判定部３４５＃１は、デコードエラー通知部３４３から与えられたデコードエラー信号を、信号線Ｌ３０により、隣の表示器３４０Ｂに送る。
【００７９】
表示器３４０Ｂの表示切替判定部３４５＃２は、表示器３４０Ａの表示切替判定部３４５＃１から送られてきたデコードエラー信号と、自表示器３４０のデコードエラー通知部３４３から送られてきたデコードエラー信号とに基づいて、新たなデコードエラー信号を生成する。そして、表示器３４０Ｂは、新たなデコードエラー信号を、信号線Ｌ３１により、隣の表示器３４０Ｃに送る。
【００８０】
表示器３４０Ｃの表示切替判定部３４５＃２は、表示器３４０Ｂの表示切替判定部３４５＃２から送られてきたデコードエラー信号と、自表示器３４０のデコードエラー通知部３４３から送られてきたデコードエラー信号とに基づいて、新たなデコードエラー信号を生成する。そして、表示器３４０Ｃは、新たなデコードエラー信号を、信号線Ｌ３２により、隣の表示器３４０Ｄに送る。
【００８１】
表示器３４０Ｄの表示切替判定部３４５＃２は、表示器３４０Ｃの表示切替判定部３４５＃２から送られてきたデコードエラー信号と、自表示器３４０のデコードエラー通知部３４３から送られてきたデコードエラー信号とに基づいて、新たなデコードエラー信号を生成する。そして、表示器３４０Ｄは、新たなデコードエラー信号を、信号線Ｌ３３により、表示器３４０Ａに送る。
【００８２】
表示器３４０Ａの表示切替判定部３４５＃１は、表示器３４０Ｄから与えられたデコードエラー信号に基づいて、表示指示を生成する。例えば、表示器３４０Ｄから与えられたデコードエラー信号がデコードエラーの発生を示すとき、表示指示は、デコードエラー時表示となる。一方、表示器３４０Ｄから与えられたデコードエラー信号がデコードありを示すとき、表示指示は、正常時表示となる。表示切替判定部３４５＃１は、生成した表示指示を、信号線Ｌ４０により各表示器３４０Ｂ、３４０Ｃ、３４０Ｄに通知するとともに、自表示器３４０Ａの表示切替部１４６にも通知する。
【００８３】
表示器３４０Ｂ、表示器３４０Ｃ、表示器３４０Ｄは、表示器３４０Ａの表示切替判定部３４５＃１から与えられた表示指示を信号線Ｌ４０経由で受け取り、その表示指示を、自表示器３４０Ｂ、３４０Ｃ、３４０Ｄの表示切替部１４６に通知する。
【００８４】
実施の形態３では、物理的なケーブルは、信号線Ｌ３０、信号線Ｌ３１、信号線Ｌ３２及び信号線Ｌ３３でそれぞれ１本と、信号線Ｌ４０で３本と、計７本必要となる。これに対し、実施の形態１では、ケーブルは、信号線Ｌ１０、信号線Ｌ１１、信号線Ｌ１２及び信号線Ｌ１３でそれぞれ３本となり、３×４＝１２本必要となる。このため、実施の形態３では、デコードエラーを通知するためのケーブルの数を減らせるという効果がある。
【００８５】
一般的には、実施の形態３では、ｎ（ｎは２以上の整数）個の表示器３４０を使用する場合、デコードエラー信号を送るためのケーブルがｎ本と、表示指示を通知するためのケーブルが（ｎ−１）本と、合計（２ｎ−１）本の信号線ケーブルが必要となる。一方、実施の形態１では、ｎ個の表示器１４０を使用する場合、（ｎ−１）×ｎ本のケーブルが必要となる。
ｎが３以上で、（２ｎ−１）＜（ｎ−１）×ｎが成立するため、３以上の表示器を使用する場合に、実施の形態３は、実施の形態１よりも、ケーブルの数を少なくすることができる。
【００８６】
なお、ここでは、表示器３４０Ａの表示切替判定部３４５＃１が、信号線Ｌ４０により、表示切り替えに使用するデコードエラー信号を他の表示器３４０Ｂ〜３４０Ｄに送る例を示したが、実施の形態３は、このような例に限定されない。
例えば、スレーブ装置となっている表示器３４０Ｂ〜３４０Ｄの内、デコードエラー信号の値が確定する表示器３４０Ｄの表示切替判定部３４５＃２が、上述のように表示指示を生成し、信号線Ｌ４０により、残りの表示器３４０Ａ、３４０Ｂ、３４０Ｃに通知してもよい。この場合、表示器３４０Ｄから表示器３４０Ａへの信号線Ｌ３３を省略することができるという効果がある。なお、この場合には、表示器３４０Ｄが末尾の表示器３４０となり、表示器３４０Ｄの表示切替判定部３４５＃２が第３の判定部として機能する。
【００８７】
発明の実施の形態３におけるマルチ画面表示装置３３０では、以上に記載したように、信号線Ｌ３０〜Ｌ３３及び信号線Ｌ４０のみにより、表示器３４０間でデコードエラー信号を送るため、デコードエラー通知用の信号線用のケーブルを少数に抑えることができる。
【００８８】
なお、実施の形態３における表示器３４０に、実施の形態２で説明されている同期部２５０及び第３の端子２５１が備えられ、同期用信号線を介して、複数の表示器３４０が同期をとってもよい。
【００８９】
以上のように、実施の形態１〜３におけるマルチ画面表示装置１３０〜３３０は、映像サーバ１１０から送信する映像データに、エラー検出画像パターンを挿入しておく必要がなく、また、エラー検出画像パターンによるエラー検出のための回路を設ける必要がなくなる。
また、複数の表示器１４０〜３４０のそれぞれにおいて、デコードエラーを検出し、そのうちの何れか１つでもデコードエラーが発生したときには、全ての表示器１４０〜３４０で一斉にデコードエラー時用の表示に切り替えられる。このため、複数の表示器１４０〜３４０の内のいくつかにおいて、デコードエラーにより映像が乱れたり、黒画面になったり、映像が静止したりといった状態を回避することができる。従って、伝送誤りが発生した場合においても、マルチ画面表示装置１３０〜３３０の視聴者に不自然な印象又は違和感を与えることなく、マルチ画面表示装置１３０〜３３０による宣伝効果及び案内情報伝達効果を維持することができる。
【符号の説明】
【００９０】
１００，２００，３００  マルチ画面表示システム、  １１０  映像サーバ、  １３０，２３０，３３０  マルチ画面表示装置、  １４０，２４０、３４０  表示器、  １４１  受信部、  １４２，２４２  デコード部、  １４３，３４３  デコードエラー通知部、  １４４  前フレーム記憶部、  １４５，３４５＃１，３４５＃２  表示切替判定部、  １４６  表示切替部、  １４７  画像表示部、  １４８  第１の端子、  １４９  第２の端子、  ２５０  同期部、  ２５１  第３の端子、  ３５２  第４の端子、  ３５３  第５の端子、  ３５４  第６の端子。
【図１】
2017151336.tif 000003
【図２】
2017151336.tif 000004
【図３】
2017151336.tif 000005
【図４】
2017151336.tif 000006
【図５】
2017151336.tif 000007
【図６】
2017151336.tif 000008
【図７】
2017151336.tif 000009
【図８】
2017151336.tif 000010
【図９】
2017151336.tif 000011
【図１０】
2017151336.tif 000012
【図１１】
2017151336.tif 000013
【図１２】
2017151336.tif 000014
【図１３】
2017151336.tif 000015
【図１４】
2017151336.tif 000016
【図１５】
2017151336.tif 000017
【図１６】
2017151336.tif 000018
【図１７】
2017151336.tif 000019
【図１８】
2017151336.tif 000020
【図１９】
2017151336.tif 000021